(57)【特許請求の範囲】
【請求項１】
フード１０とフィルタ２０と送風機３０を備え、その送風機３０を駆動することで調理によって発生した燃焼ガス、油煙、臭気などをフィルタ２０を通して送風機３０の吐出口３０ａから排出するようにしたレンジフードファンであって、
前記送風機３０は、通電しているときには駆動し、通電しないときには停止するようにし、
前記送風機３０の吐出側部に、その吐出側部を閉鎖する閉鎖状態と、吐出側部を開放する開放状態に作動する電動式シャッタ４０を設け、
前記送風機３０及び電動式シャッタ４０に通電制御する通電制御手段６０を設け、
前記電動式シャッタ４０は、シャッタ用電動モータ４２に通電することでシャッタ４１を開放位置に作動して開放状態となり、前記シャッタ用電動モータ４２に通電しないとシャッタ４１が付勢力で閉鎖位置に作動して閉鎖状態に保持するようにし、
前記通電制御手段６０は、操作部６２からの操作指令に基づいて前記送風機３０とシャッタ用電動モータ４２に通電制御する制御部６１と、該制御部６１と電源６３を接続する電源回路１４に設けたスイッチ手段６５を有し、
前記スイッチ手段６５は、フード１０の空気流通路以外に設けられ、フード１０の周辺の温度が設定温度以上のときにＯＦＦし、設定温度以下のときにＯＮする温度感応型のスイッチとし、
フード１０の周辺の温度が設定温度以上の時には電源回路６４を遮断するようにしたことを特徴とするレンジフードファン。
【請求項２】
前記送風機３０は、ファン用電動モータ３３に通電することでファン３２を回転し、そのファン用電動モータ３３に通電しないとファン３２が停止するようにし、
前記通電制御手段６０の制御部６１は、操作部６２からの操作指令に基づいてファン用電動モータ３３に通電制御するようにした請求項１記載のレンジフードファン。
【請求項３】
前記電動式シャッタ４０の出口を脱臭ユニット５０の入口側に連通し、
この脱臭ユニット５０の出口側を室内に連通した請求項１又は２記載のレンジフードファン。
【発明の詳細な説明】
【技術分野】
【０００１】
本発明は、調理用加熱器具の上方に設置され、調理によって発生した燃焼ガスや油煙などを捕集するレンジフードファンに関する。
【背景技術】
【０００２】
従来より、調理用加熱器具の上方に設置され、調理によって発生した燃焼ガスや油煙などを捕集するレンジフードファンとしては、特許文献１に開示されたように捕集した燃焼ガスや油煙などをダクトを通して屋外に排気する屋外排気型のレンジフードファン、特許文献２に開示されたように捕集した燃焼ガスや油煙などを脱臭ユニットを通して室内に循環する室内循環型のレンジフードファンが知られている。
【先行技術文献】
【特許文献】
【０００３】
【特許文献１】特開平５−３４０５８６号公報
【特許文献２】特開２００６−３２２６４８号公報
【発明の概要】
【発明が解決しようとする課題】
【０００４】
前述したレンジフードは、フードと送風機とフィルタを備え、調理によって発生した油煙に含まれる油脂分は、前記フィルタによって多くは取り除かれることになる。その後、前記フィルタで取り除かれなかった油脂分は送風機へと流れ込み、送風機内部にて、その油脂分の一部が取り除かれる。
ここまでで油煙に含まれる油脂分のほとんどは取り除かれることになるが、完全に取り除くことは極めて難しいのが現状で、前記送風機の吐出口からわずかながら油脂分が排出される。
このために、前述の屋外排気型のレンジフードファンにおいては、送風機の吐出口からダクトへとわずかながら油脂分が流れ込み、長期間の使用によってダクト内に油脂分が付着することがある。
したがって、火災時や調理により火炎が発生したとき（以下、火災時等という）に、送風機の吐出口から火炎が吹き出し、その火炎がダクト内に進入することがあり、その場合にはダクト内に付着した油脂分に引火してダクト火災が発生する恐れがあった。
【０００５】
また、前述の室内循環型のレンジフードファンであると、火災時等に送風機の吐出口から吹き出した火炎が脱臭ユニット内に進入し、その脱臭ユニットを通って火炎が室内に入り込む恐れがあった。
【０００６】
本発明の目的は、火災時等に送風機の吐出口から火炎が吹き出すことを防止し、屋外排気型のレンジフードファンの場合には、火炎によってダクト火災が発生することがなく、室内循環型のレンジフードファンの場合には、火炎が室内に入り込むことがないようにしたレンジフードファンとすることである。
【課題を解決するための手段】
【０００７】
本発明は、フード１０とフィルタ２０と送風機３０を備え、その送風機３０を駆動することで調理によって発生した燃焼ガス、油煙、臭気などをフィルタ２０を通して送風機３０の吐出口３０ａから排出するようにしたレンジフードファンであって、
前記送風機３０は、通電しているときには駆動し、通電しないときには停止するようにし、
前記送風機３０の吐出側部に、その吐出側部を閉鎖する閉鎖状態と、吐出側部を開放する開放状態に作動する電動式シャッタ４０を設け、
前記送風機３０及び電動式シャッタ４０に通電制御する通電制御手段６０を設け、
前記電動式シャッタ４０は、シャッタ用電動モータ４２に通電することでシャッタ４１を開放位置に作動して開放状態となり、前記シャッタ用電動モータ４２に通電しないとシャッタ４１が付勢力で閉鎖位置に作動して閉鎖状態に保持するようにし、
前記通電制御手段６０は、操作部６２からの操作指令に基づいて前記送風機３０とシャッタ用電動モータ４２に通電制御する制御部６１と、該制御部６１と電源６３を接続する電源回路１４に設けたスイッチ手段６５を有し、
前記スイッチ手段６５は、フード１０の空気流通路以外に設けられ、フード１０の周辺の温度が設定温度以上のときにＯＦＦし、設定温度以下のときにＯＮする温度感応型のスイッチとし、
フード１０の周辺の温度が設定温度以上の時には電源回路６４を遮断するようにしたことを特徴とするレンジフードファンである。
【００１６】
本発明においては、前記送風機３０は、ファン用電動モータ３３に通電することでファン３２を回転し、そのファン用電動モータ３３に通電しないとファン３２が停止するようにし、
前記通電制御手段６０の制御部６１は、操作部６２からの操作指令に基づいてファン用電動モータ３３に通電制御するようにできる。
【００１７】
このようにすれば、制御部６１がどのような状態であってもフード１０の周辺の温度が設定温度以上のときには制御部６１に通電されなくなり、その結果ファン用電動モータ３３に通電しなくなるので、送風機３０を誤動作することなく必ず停止できる。
したがって、火災時等に送風機３０の吐出口３０ａから火炎が吹き出すことを確実に防止できる。
【００２０】
本発明においては、前記電動式シャッタ４０の出口を脱臭ユニット５０の入口側に連通し、
この脱臭ユニット５０の出口側を室内に連通することができる。
【００２１】
このようにすれば、室内循環型のレンジフードファンとすることができる。
しかも、火災時等に脱臭ユニット５０に火炎が吹き込むことがない。
【発明の効果】
【００２２】
本発明によれば、火災の発生時や調理によって火炎が発生した火災時等に、電動式シャッタ４０で送風機３０の吐出口３０ａが閉じられると共に、送風機３０が停止するので、火災時等に送風機３０が火炎を吸い込んで吐出口３０ａからいきおい良く吐出することがないので、火災時等に送風機３０の吐出口３０ａから火炎が吹き出すことを確実に防止できる。
したがって、屋外排気型のレンジフードファンの場合には、火炎によってダクト火災が発生することがなく、室内循環型のレンジフードファンの場合には、火炎が室内に入り込むことがないようにできる。
また、電動式シャッタ４０のシャッタ用電動モータ４２に通電しなければ、その電動式シャッタ４０が閉鎖状態となり送風機３０に通電しなければ、送風機３０が停止するので、電気系統の故障や、電源線の切断などが発生したときには電動式シャッタ４０が閉鎖状態になり、かつ送風機３０は停止するから、前述のことが発生した場合でも火災時等に送風機３０の吐出口３０ａから火炎が吹き出すことを確実に防止できる。
しかも、制御部６１がどのような状態であってもフード１０の周辺の温度が設定温度以上のときには制御部６１に通電されなくなり、その結果、送風機３０、シャッタ用電動モータ４２に通電しなくなるので、送風機３０、シャッタ用電動モータ４２を誤作動することなく必ず停止、閉鎖状態となる。
したがって、火災時等に送風機３０の吐出口３０ａから火炎が吹き出すことを確実に防止できる。
さらに、スイッチ手段６５としてサーモスタットを用い、そのサーモスタットで電源回路６４を遮断すれば良く、誤動作せずに確実に制御部６１に通電しないようにできる。
【図面の簡単な説明】
【００２３】
【図１】本発明の実施の形態を示す全体側面図である。
【図２】レンジフードファンの一部破断拡大側面図である。
【図３】通電制御手段の説明図である。
【発明を実施するための形態】
【００２４】
図１に示すように、調理用加熱器具１の上方に、本発明のレンジフードファン２が設置されている。
前記調理用加熱器具１は、キャビネット３に載置した電磁誘導加熱調理器（ＩＨクッキングヒータ）であるが、これに限ることはなく電気コンロ、ガス燃焼加熱調理器などでもよい。
前記レンジフードファン２は、フード１０、フィルタ２０、送風機３０を備え、その送風機３０を駆動することで調理によって発生した燃焼ガス、油煙、臭気などをフィルタ２０を通して送風機３０が吸い込み、その吐出口３０ａから排出する。
【００２５】
前記送風機３０の吐出側部には電動式シャッタ４０が設けてある。
この電動式シャッタ４０は閉鎖状態と開放状態に作動する。
前記電動式シャッタ４０が閉鎖状態のときには、送風機３０の吐出側部を閉鎖し、送風機３０が吸い込んだ燃焼ガス、油煙、臭気などを吐出口３０ａから排出できないようにする。
前記電動式シャッタ４０が開放状態のときには、送風機３０の吐出側部を開放し、送風機３０が吸い込んだ燃焼ガス、油煙、臭気などを吐出口３０ａから排出できるようにする。
【００２６】
図１に示すレンジフードファンにおいては、その電動式シャッタ４０の出口が脱臭ユニット５０の吸気側に連通している。
この脱臭ユニット５０は、送風機３０が吸い込んだ燃焼ガスのすす、油煙の油脂分、臭気などを除去して清浄の空気とする。
前記脱臭ユニット５０はフード１０の上面に設置され、幕板４で覆われている。
この脱臭ユニット５０の排気側は幕板４の開口部から室内に連通し、前述のように清浄化した空気を室内に循環する。
これによって、空気循環型のレンジフードファンとしてある。
【００２７】
前記電動式シャッタ４０の出口にダクトを接続し、このダクトを屋外側まで配設することで、送風機３０が吸い込んだ燃焼ガス、油煙、臭気などを屋外に排気する屋外排気型のレンジフードファンとしても良い。
この場合には脱臭ユニット５０を設けなくとも良いが、脱臭ユニット５０の排気側に前記ダクトを接続しても良い。
【００２８】
前記電動式シャッタ４０は、レンジフードファン２が稼動しているとき（送風機３０が駆動しているとき）には開放状態に作動し、フード１０の周辺の温度が設定温度（例えば８０℃）を超えたとき、つまり設定温度以上のときには閉鎖状態に作動するようにしてある。
例えば、電動式シャッタ４０に通電しているときには開放状態に作動し、電動式シャッタ４０に通電しないときには閉鎖状態に作動して、その閉鎖状態で保持する。
そして、通電制御手段６０によって電動式シャッタ４０に通電制御され、前述のようにフード１０の周辺の温度が設定温度を超えたときには通電制御手段６０が電動式シャッタ４０に通電しないようにする。
【００２９】
このようにすれば、火災時や調理により火炎が発生したとき（以下、火災時等という）に、その火炎がフード１０まで到達し、フード１０の周辺の温度が設定温度以上に上昇すると、通電制御手段６０が電動式シャッタ４０に通電しないようにして電動式シャッタ４０が閉鎖状態となるので、前述の火炎が送風機３０の吐出口３０ａから吹き出すことを防止できる。
このとき、送風機３０が駆動状態で、火炎を吸い込んで吐出口３０ａから強く吹き出すようであっても、電動式シャッタ４０が閉鎖状態であるから、火炎が吐出口３０ａから吹き出すことを防止できる。
【００３０】
したがって、火災時等に送風機３０の吐出口３０ａから火炎が吹き出すことがなく、室内循環型のレンジフードファンの場合に、火炎が室内に入り込むことがなく、屋外排気型のレンジフードファンの場合には火炎によってダクト火災が発生することがない。
【００３１】
前記通電制御手段６０を、フード１０の周辺の温度が設定温度以上のときに送風機３０を停止するようにしても良い。
例えば、送風機３０を、通電しているときに駆動し、通電しないときには停止するようにし、前記通電制御手段６０を、フード１０の周辺の温度が設定温度以上のときに送風機３０に通電しないようにする。
【００３２】
このようにすれば、火災時等に電動式シャッタ４０が閉鎖状態となると、駆動していた送風機３０が停止するので、送風機３０が火炎を吸い込むことがないので、送風機３０の吐出口３０ａから火炎が吹き出すことを確実に防止できる。
【００３３】
前記レンジフードファン２のフード１０は、図２に示すように、天板１１と周面板１２で下面が開口した箱形状で、そのフード１０の内面には上支持板１３と下支持板１４が設けてある。
この上支持板１３と下支持板１４とに亘ってフィルタ２０、例えばグリスフィルタを取り付けてフード１０内に吸込み空間１５を形成している。
前記フィルタ２０と対向して整流板２１が取り付けてある。
前記送風機３０は、ハウジング３１内にファン３２（シロッコファン）を設け、そのファン３２をファン用電動モータ３３で回転駆動するように構成してある。
前記ハウジング３１をフード１０の天板１１に連結して送風機３０をフード１０内に取り付け、その吸込口３０ｂがフード１０の吸込み空間１５に連通し、前記ファン用電動モータ３３でファン３２を回転駆動することで、調理によって発生した燃焼ガス、油煙、臭気などをフィルタ２０を通して吸込口３０ｂから吸い込み、吐出口３０ｂから排出する。
【００３４】
前記フード１０の形状は図２に示すものに限ることはなく、任意の形状とすることができる。
前記フィルタ２０はグリスフィルタに限ることはないし、整流板２１を設けなくとも良く、このフィルタ２０は送風機３０のハウジング３１内に設けることもできる。
前記送風機３０はフード１０の外部に取り付けても良い。
要するに、本発明のレンジフードファンは、フード１０とフィルタ２０と送風機３０を備え、その送風機３０を駆動することで調理によって発生した燃焼ガス、油煙、臭気などをフィルタ２０を通して吐出口３０ａから排出するものであれば良い。
【００３５】
前記電動式シャッタ４０は、シャッタ４１とシャッタ用電動モータ４２を備え、そのシャッタ用電動モータ４２によってシャッタ４１を開放位置、閉鎖位置に移動する。
例えば、シャッタ４１をばねにより閉鎖位置に向けて付勢することで、シャッタ４１を閉鎖位置に保持し、シャッタ用電動モータ４２が回転駆動することでシャッタ４１が開放位置に向けて移動するようにしてある。
そして、シャッタ用電動モータ４２に通電されずに停止している状態で、そのシャッタ用電動モータ４２に通電して回転駆動するとシャッタ４１は図２に仮想線で示す開放位置に移動し、電動式シャッタ４０は開放状態となる。
前述の状態で、シャッタ用電動モータ４２への通電を止めて停止すると、シャッタ４１は自動的に、図２に実線で示す閉鎖位置に移動し、電動式シャッタ４０は自動的に閉鎖状態となる。
【００３６】
図２に示す電動式シャッタ４０は、シャッタ４１を筒体４３内に開放位置と閉鎖位置とに揺動自在に設け、ばねでシャッタ４１を閉鎖位置に付勢して保持し、シャッタ用電動モータ４２でシャッタ４１を開放位置に向けて揺動するようにしてある。
前記筒体４３には、シャッタ４１が開放位置であることを検出するセンサ４４が設けてある。このセンサ４４としてはシャッタ４１が接することでＯＮするスイッチが用いられるが、他の手段であっても良い。
そして、前記筒体４３を送風機３０の吐出口３０ａと連通することで、吐出口３０ａを開、閉するようにしてある。
【００３７】
前記電動式シャッタ４０は、前述のものに限ることはなく任意のものを用いることができる。
例えば、シャッタ４１で送風機３０の吐出口３０ａを直接開閉する電動式シャッタとすることができる。
具体的には、シャッタ４１を送風機３０のハウジング３１又はフード１０に沿って開放位置と閉鎖位置とに亘ってスライド自在に設け、シャッタ用電動モータ４２の回転を往復動に変換する手段（ラック・ピニオンやカム、リンク機構など）でシャッタ４１を開放位置と閉鎖位置にスライドさせる。
【００３８】
前記脱臭ユニット５０は、ケース５１内に油分解フィルタ５２、脱臭フィルタ５３、除塵フィルタ５４を取り付けてある。そのケース５１をフード１０の天板１１の上面に取り付けて、ケース５１の吸気口５５が電動式シャッタ４０の出口と連通している。そのケース５１が幕板４内に位置し、室内から見たときに幕板４で覆われてケース５１が見えないようにしてある。
前記ケース５１の上部には排気口５６が形成してある。
【００３９】
このようであるから、送風機３０を駆動すると共に、電動式シャッタ４０が開放状態のときに、送風機３０から排出された燃焼ガス、油煙、臭気などが電動式シャッタ４０からケース５１の吸気口５５に流入し、油分解フィルタ５２で油脂分が除去され、脱臭フィルタ５３で臭気が除去され、除塵フィルタ５４ですすが除去されて清浄の空気とする。
そして、清浄の空気が排気口５６から流出して幕板４の開口部を通って室内に循環する。
【００４０】
図２に示すように、前記通電制御手段６０はフード１０の前部寄りに取り付けてある。
この通電制御手段６０は図３に示すように、前記送風機３のファン用電動モータ３３、電動式シャッタ４０のシャッタ用電動モータ４２に通電制御する制御部（制御基板）６１と、この制御部６１に制御指令を送る操作部６２と、前記制御部６１と電源６３の接続する電源回路６４に設け、その電源回路６４を遮断・接続するスイッチ手段６５を有している。前記電動式シャッタ４０のセンサ４４の検出信号は制御部６１に送られる。
【００４１】
前記操作部６２は、切指令を送る切スイッチ６６、運転指令を送る運転スイッチ６７、例えば弱運転指令を送る弱運転スイッチ６７ａ、中運転指令を送る中運転スイッチ６７ｂ、強運転指令を送る強運転スイッチ６７ｃ、リモコンからの指令を受けるリモコン受光部６８などを有している。
前記スイッチ手段６５は、感知した温度でＯＮ，ＯＦＦする温度感応型のスイッチ、例えばサーモスタットで、前述した設定温度以上の温度を感知するとＯＦＦして電源回路６４を遮断し、設定温度以下の温度を感知するとＯＮして電源回路６４を接続する。
このスイッチ手段６５は、前記フード１０の前部寄り下部に設けてあり、そのフード１０の周辺の温度を感知してＯＮ，ＯＦＦする。
【００４２】
前記スイッチ手段６５は、前記電源回路６４を遮断・接続するスイッチと前記フード１０周辺の温度を検出する温度センサを備え、その温度センサで検出した温度を制御部６１に入力し、その温度センサが設定温度以上の温度を検出して制御部６１に入力すると、制御部６１がスイッチをＯＦＦとし、前記温度センサが設定温度以下の温度を検出して制御部６１に入力すると、制御部６１がスイッチをＯＮするようにしても良い。
つまり、スイッチ手段６４は、フード１０の周辺の温度が設定温度以上のときには制御部６１に電気を供給しないようにし、設定温度以下のときには制御部６１に電気を供給するようなものである。
【００４３】
このように、フード１０の周辺の温度が設定温度以上のときにスイッチ部６５をＯＦＦし、制御部６１と電源６３を遮断するので、制御部６１に電気が供給されなくなる。
したがって、制御部６１がどのような制御状態であっても、ファン用電動モータ３３、シャッタ用電動モータ４２に電気が供給されなくなって各電動モータは直ちに停止するので、火災時等に火炎が送風機３０の吐出口３０ａから吹き出すことを確実に防止できる。
前記制御部６１は、スイッチ部６５がＯＦＦして電気が供給されなくなると、操作部６２から送られていた制御指令を消去するようにしてある。
【００４４】
次に、作動を説明する。
前記レンジフードファンが停止している状態では、ファン用電動モータ３３には通電されずに停止し、送風機３０は停止していると共に、シャッタ用電動モータ４２には通電されずに停止し、シャッタ４１が閉鎖位置で電動式シャッタ４０は閉鎖状態である。
前述の状態から、前記操作部６２の運転スイッチ６７を操作すると、制御部６１に運転指令が送られる。
前記制御部６１はシャッタ用電動モータ４２に通電してシャッタ４１を開放位置とし、電動式シャッタ４０を開放状態とする。
この後、所定時間、例えばｔ１秒経過すると、制御部６１はファン用電動モータ３３に通電して送風機３９を駆動する。
これによって、調理により発生した燃焼ガス、油煙、臭気などを送風機３０が吸い込み、吐出口３０ａから電動式シャッタ４０を通して脱臭ユニット５０に排出し、レンジフードファンが起動する。
【００４５】
このように、電動式シャッタ４０が開放状態となった後に送風機３０が駆動するようにしたので、レンジフードファンの起動時に電動式シャッタ４０部分から異音が発生することがない。
つまり、電動式シャッタ４０が完全に開放状態となる前に送風機３０が駆動されると、電動式シャッタ４０を通過する空気流れによって異音が発生する。
【００４６】
図２に示す電動式シャッタ４０は、シャッタ４１が開放位置となったことを検出するセンサ４４を備えているので、このセンサ４４の検出信号が制御部６１に送られると、制御部６１がファン用電動モータ３３に通電するようにしても良い。
このようにすれば、時間遅れでファン用電動モータ３３に通電するのではなく、シャッタ４１が開放位置（つまり、電動式シャッタ４０が開放状態）となったことを確認してからファン用電動モータ３３に通電するので、信頼性に優れ、レンジフードファンの起動時に電動式シャッタ４０部分から異音が発生することを確実に防止できる。
【００４７】
また、電動式シャッタ４０が前述のセンサ４４を備えているので、前述のように運転スイッチ６７を操作してから所定時間、例えばｔ２秒（ｔ１＜ｔ２）経過してもセンサ４４から検出信号が制御部６１に送られない場合には、制御部６１が異常であると判断し、送風機３０及び電動式シャッタ４０の電源を遮断し、さらに制御部６１がランプや警報器を作動して異常状態であることを使用者にランプや警告音で知らせるようにできる。
【００４８】
例えば、図３に示すように、制御部６１と電源６３を接続する電源回路６４にスイッチ７０を設けると共に、ランプや警報器などの警告手段７１を設ける。
そして、運転スイッチ６７から運転指令が制御部６１に送られてからｔ２秒経過してもセンサ４４の検出信号が制御部６１に入力されないときには、制御部６１がスイッチ７０をＯＦＦして電源回路６４を遮断すると共に、警告手段７１を作動する。
【００４９】
前述のようにしてレンジフードファンが稼動しているときに、火災が発生したり、調理によって火炎が発生したりしてフード１０の周辺の温度が設定温度以上の温度となると、スイッチ手段６５がＯＦＦする。
これによって、制御部６１と電源６３が遮断されるので、ファン用電動モータ３３、シャッタ用電動モータ４２に通電されなくなり、送風機３０が停止すると共に、電動式シャッタ４０が閉鎖状態となる。
【００５０】
したがって、火災が発生したり、調理により火炎が発生したときに、送風機３０の吐出口３０ａから火炎が吹き出すことを防止できる。
【００５１】
前述のように火災発生時等にスイッチ部６５がＯＦＦして送風機３０が停止し、電動式シャッタ４０が閉鎖状態となった後に、フード１０の周辺の温度が設定温度以下に低下するとスイッチ部６５がＯＮし、制御部６１に通電するが、前述のように制御部６１に送られていた操作指令（運転指令）が消去されているので、ファン用電動モータ３３、シャッタ用電動モータ４２に通電されることがなく、送風機３０は停止したままで、電動式シャッタ４０は閉鎖状態のままである。
【００５３】
前述の各説明では、フード１０の周辺の温度が設定温度以上のときに送風機３０を停止すると共に、電動式シャッタ４０を閉鎖状態としたが、送風機３０を停止しなくとも良い。
【符号の説明】
【００５４】
１…調理用加熱器具、２…レンジフードファン、１０…フード、２０…フィルタ、３０…送風機、３０ａ…吐出口、３１…ハウジング、３２…ファン、３３…ファン用電動モータ、４０…電動式シャッタ、４１…シャッタ、４２…シャッタ用電動モータ、５０…脱臭ユニット、６０…通電制御手段、６１…制御部、６２…操作部、６３…電源、６４…電源ユニット、６５…スイッチ手段、６７…運転スイッチ。
【図１】
0005614874.tif 000002
【図２】
0005614874.tif 000003
【図３】
0005614874.tif 000004